(57)【要約】      （修正有）【課題】マルチチャンネルの光出力を個別にモニタすることができる光通信用モジュールを提供する。【解決手段】送信グループ４ａ〜４ｄ及び受信グループ４ｈ〜４ｅに分割される複数の光ファイバ４ａ〜４ｅを含むファイバアレイ４と、送信グループ６ａ〜６ｄにグループ化された複数のレーザダイオード６ａ〜６ｄを含むレーザダイオードアレイ６と、モニタグループ１０ａ〜１０ｄ及び受信グループ１０ｅ〜１０ｈに分割された複数のフォトダイオード１０ａ〜１０ｈを含み、送信グループのレーザダイオード６ａ〜６ｄと送信グループの光ファイバ４ａ〜４ｄの各端面とを対向させてレーザダイオードアレイ６をファイバアレイ４との間に設置する。【選択図】図１
2006216931.tif 000002
【特許請求の範囲】
【請求項１】
送信グループ及び受信グループに分割される複数の光ファイバを含むファイバアレイと、
送信グループにグループ化された複数のレーザダイオードを含むレーザダイオードアレイと、
モニタグループ及び受信グループに分割された複数のフォトダイオードを含み、送信グループの前記レーザダイオードと送信グループの前記光ファイバの各端面とを対向させて前記レーザダイオードアレイを前記ファイバアレイとの間に設置し、送信グループの前記光ファイバ、送信グループの前記レーザダイオード、及び、モニタグループの前記フォトダイオードを光学的に整合させると共に、受信グループの前記光ファイバと受信グループの前記フォトダイオードを光学的に整合させるフォトダイオードアレイと
を備えることを特徴とする光通信用モジュール。
【請求項２】
前記送信グループ及び前記受信グループに分割される各光ファイバ間のピッチ、前記送信グループにグループ化された各レーザダイオード間のピッチ、並びに、前記モニタグループ及び前記受信グループに分割された各フォトダイオード間のピッチは、実質的に同一である請求項１に記載の光通信用モジュール。
【請求項３】
前記送信グループに分割される複数の光ファイバ間のピッチ、及び、前記受信グループに分割される複数の光ファイバ間のピッチは、少なくとも約１２５μｍである請求項１又は２に記載の光通信用モジュール。
【請求項４】
前記送信グループ及び前記受信グループに分割される光ファイバの合計本数は、前記モニタグループ及び前記受信グループに分割されたフォトダイオードの合計個数に等しく、前記送信グループにグループ化されたレーザダイオードの合計個数の２倍である請求項１〜３のいずれかに記載の光通信用モジュール。
【請求項５】
前記ファイバアレイの複数の光ファイバは、前記送信グループ及び前記受信グループに均等に分割されるように分けられ、前記フォトダイオードアレイの複数のフォトダイオードは前記モニタグループ及び前記受信グループに均等に分割されるように分けられている請求項１〜４のいずれかに記載の光通信用モジュール。
【請求項６】
前記ファイバアレイの送信グループ及び受信グループは互いに隣接し、前記フォトダイオードアレイのモニタグループ及び受信グループは互いに隣接している請求項１〜５のいずれかに記載の光通信用モジュール。
【請求項７】
前記送信グループの複数の光ファイバの各端面と、それらに対応する前記送信グループの複数のレーザダイオードとの距離は、約１０〜５０μｍである請求項１〜５のいずれかに記載の光通信用モジュール。
【請求項８】
前記送信グループの複数の光ファイバの各端面と、それらに対応する前記送信グループの複数のレーザダイオードとの距離は、約２０〜３０μｍである請求項１〜５のいずれかに記載の光通信用モジュール。
【請求項９】
前記送信グループの複数のレーザダイオードと、それらに対応する前記モニタグループの複数のフォトダイオードとの距離は、約２０〜１００μｍである請求項１〜５のいずれかに記載の光通信用モジュール。
【請求項１０】
前記受信グループの複数の光ファイバの各端面と、それらに対応する前記受信グループの複数のフォトダイオードとの距離は、約１７０〜４５０μｍである請求項１〜５のいずれかに記載の光通信用モジュール。
【請求項１１】
前記フォトダイオードアレイを傾けるため、前記レーザダイオードアレイ及び前記フォトダイオードアレイの間にスペーサが設置されている請求項１に記載の光通信用モジュール。
【請求項１２】
前記ファイバアレイは、前記送信グループの複数の光ファイバを第１群とし、前記受信グループの複数の光ファイバを第２群とする２つの群に分かれて一列に並んでおり、
前記フォトダイオードアレイは、前記モニタグループの複数のフォトダイオードを第１群とし、前記受信グループの複数のフォトダイオードを第２群とする２つの群に分かれて一列に並んでいる請求項１〜１１のいずれかに記載の光通信用モジュール。
【請求項１３】
前記ファイバアレイは、前記送信グループの複数の光ファイバを第１段とし、前記受信グループの複数の光ファイバを第２段とする２つの段を有し、
前記フォトダイオードアレイは、前記モニタグループの複数のフォトダイオードを第１段とし、前記受信グループの複数のフォトダイオードを第２段とする２つの段を有する請求項１〜１１のいずれかに記載の光通信用モジュール。
【請求項１４】
前記第１段の複数の光ファイバと、それに近接する前記第２段の光ファイバとの間のピッチ、及び、前記第１段の複数のフォトダイオードと、それに近接する前記第２段の複数のフォトダイオードとの間のピッチはそれぞれ実質的に同一で、少なくとも約１２５μｍである請求項１３に記載の光通信用モジュール。
【請求項１５】
送信グループ及び受信グループに分割される複数の光ファイバを備え、前記レーザダイオードアレイ及び前記フォトダイオードアレイの間に配置されたＭＴ型フェルールを有し、
ファイバアレイの送信グループの前記光ファイバ、送信グループの前記レーザダイオード、ＭＴ型フェルールの送信グループの前記光ファイバ、及び、モニタグループの前記フォトダイオードが光軸方向に沿って光学的に整合されると共に、
ファイバアレイの受信グループの前記光ファイバ、ＭＴ型フェルールの受信グループの前記光ファイバ、及び、受信グループの前記フォトダイオードが光軸方向に沿って光学的に整合されている請求項１に記載の光通信用モジュール。
【請求項１６】
前記ファイバアレイの送信グループ及び受信グループ、前記フォトダイオードアレイのモニタグループ及び受信グループ、並びに、前記ＭＴ型フェルールの送信グループ及び受信グループは、それぞれ互いに隣接している請求項１５に記載の光通信用モジュール。
【請求項１７】
前記ＭＴ型フェルールの送信グループ及び受信グループの複数の光ファイバの開口数は、最大で約０．２１である請求項１５又は１６のいずれかに記載の光通信用モジュール。
【請求項１８】
前記ＭＴ型フェルールは、前記レーザダイオードアレイ及び前記ファイバアレイに対して正確な位置に、少なくとも１本のガイドピンとともに設置されている請求項１５に記載の光通信用モジュール。
【請求項１９】
前記フォトダイオードアレイは、フォトダイオードリードワイヤーを備えており、前記レーザダイオードアレイは、レーザダイオードリードワイヤーを備えている請求項１５又は１６のいずれかに記載の光通信用モジュール。
【請求項２０】
前記ＭＴ型フェルールの光軸方向に沿った長さは、少なくとも約１ｍｍである請求項１５に記載の光通信用モジュール。
【請求項２１】
前記レーザダイオードアレイ及び前記フォトダイオードアレイの間に、シールド金属が配置されている請求項１５に記載の光通信用モジュール。
【請求項２２】
前記ＭＴ型フェルールは、金属に覆われている請求項１５〜１８のいずれかに記載の光通信用モジュール。
【請求項２３】
前記ＭＴ型フェルールは、金属で覆われた合成樹脂でできている請求項１５〜１８のいずれかに記載の光通信用モジュール。
【請求項２４】
前記レーザダイオードアレイが設置されたレーザダイオードサブマウント、
前記レーザダイオードサブマウントと、前記レーザダイオードアレイの送信グループから発信される光信号及び前記ファイバアレイの受信グループが受信する光信号が減衰することなく通過できるような構成とを有するブリッジ、
接続パッドを有し、前記ブリッジに設置されたターミナルブロック、並びに、
前記ターミナルブロックに備えられた接続パッドにその一端が接着されたレーザダイオードリードワイヤーを備えた請求項１に記載の光通信用モジュール。
【請求項２５】
前記レーザダイオードサブマウントの厚さは、約１５０〜３５０μｍである請求項２４に記載の光通信用モジュール。
【請求項２６】
前記フォトダイオードアレイを備えると共に、前記レーザダイオードアレイの送信グループから発信される光信号及び前記ファイバアレイの受信グループが受信する光信号が減衰することなく通過できるように構成されたフレキシブルケーブルと、
送信グループ及び受信グループに分割される複数の光ファイバを含むＭＴ型フェルールと、
が前記レーザダイオードアレイ及び前記フォトダイオードアレイの間に配置され、
ファイバアレイの送信グループの前記光ファイバ、送信グループの前記レーザダイオード、ＭＴ型フェルールの送信グループの前記光ファイバ、及び、モニタグループの前記フォトダイオードが光軸方向に沿って光学的に整合されると共に、
ファイバアレイの受信グループの前記光ファイバ、ＭＴ型フェルールの受信グループの前記光ファイバ、及び、受信グループの前記フォトダイオードが光軸方向に沿って光学的に整合されている、請求項１に記載の光通信用モジュール。
【請求項２７】
前記レーザダイオードアレイは、レーザダイオードリードワイヤーを備え、
前記フレキシブルケーブルは、その片面にシールド金属層を、その反対側の面にフォトダイオード用回路を備えた請求項２６に記載の光通信用モジュール。
【請求項２８】
少なくとも１本の光ファイバで構成される送信グループ及び少なくとも１本の光ファイバで構成される受信グループを含む複数のグループに分割される光ファイバを含むファイバアレイと、
送信グループを含む少なくとも１以上のグループにグループ化されたレーザダイオードを含むレーザダイオードアレイと、
少なくとも１つのフォトダイオードで構成されるモニタグループ及び少なくとも１つのフォトダイオードで構成される受信グループを含む複数のグループに分割されたフォトダイオードを含み、
送信グループの前記レーザダイオードと送信グループの前記光ファイバの各端面とを対向させて前記レーザダイオードアレイを前記ファイバアレイとの間に設置し、
送信グループの前記光ファイバ、送信グループの前記レーザダイオード、及び、モニタグループの前記フォトダイオードを光学的に整合させると共に、受信グループの前記光ファイバと受信グループの前記フォトダイオードを光学的に整合させるフォトダイオードアレイと
を備えることを特徴とする光通信用モジュール。
【請求項２９】
レーザダイオードアレイを備えたレーザダイオードサブマウントを、ターミナルブロックを備えたブリッジ上に設置し、
レーザダイオードリードワイヤーの一端を前記レーザダイオードアレイに接続し、前記レーザダイオードリードワイヤーのもう一端を前記ターミナルブロックの接続パッドに接続し、
ファイバアレイの送信グループの複数の光ファイバが、前記レーザダイオードサブマウントに設置された前記レーザダイオードアレイの送信グループの対応する複数のレーザダイオードに対して光学的に整合されるように、前記ファイバアレイを前記レーザダイオードサブマウントに接続し、
ＭＴ型フェルールの送信グループ及び受信グループの複数の光ファイバが、フォトダイオードサブマウント上に設置されたフォトダイオードアレイのモニタグループ及び受信グループの対応する複数のフォトダイオードに対して光学的に整合されるように、前記ＭＴ型フェルールを前記フォトダイオードサブマウントに接続し、
ファイバアレイの送信グループの前記光ファイバ、送信グループの前記レーザダイオード、ＭＴ型フェルールの送信グループの前記光ファイバ、及び、モニタグループの前記フォトダイオードを光学的に整合させると共に、
ファイバアレイの受信グループの前記光ファイバ、ＭＴ型フェルールの受信グループの前記光ファイバ、及び、受信グループの前記フォトダイオードを光学的に整合させるように、少なくとも１つのガイドピンを用いて、前記レーザダイオードアレイを備えたレーザダイオードサブマウントと接続された前記ファイバアレイ及び前記フォトダイオードアレイを備えたフォトダイオードサブマウントと接続された前記ＭＴ型フェルールを接続することを特徴とする光通信用モジュールの製造方法。
【請求項３０】
送信グループ及び受信グループに分割される複数の光ファイバを含むファイバアレイと、
送信グループにグループ化された複数のレーザダイオードを含むレーザダイオードアレイと、
モニタグループ及び受信グループに分割された複数のフォトダイオードを含み、送信グループの前記レーザダイオードと送信グループの前記光ファイバの各端面とを対向させて前記レーザダイオードアレイを前記ファイバアレイとの間に設置し、送信グループの前記光ファイバ、送信グループの前記レーザダイオード、及び、モニタグループの前記フォトダイオードを光学的に整合させると共に、受信グループの前記光ファイバと受信グループの前記フォトダイオードを光学的に整合させるフォトダイオードアレイと
を備えることを特徴とするデータ通信システム。
【発明の詳細な説明】
【技術分野】
【０００１】
本発明は、光通信用モジュール、その製造方法及びデータ通信システムに関する。
【背景技術】
【０００２】
特許文献１には、４チャンネルオプトエレクトロニクス送受信器モジュールのための光インターフェースが開示されている。上記光インターフェースは、モジュールハウジング、送信用チップ、受信用チップ及びアダプタユニットを備えている。上記モジュールハウジングは、少なくとも１つのハウジング壁部及び上記ハウジング壁部内の開口部を含んでいる。上記送信用チップは、４チャンネルレーザダイオードアレイを備え、上記受信用チップは、４チャンネル光検出器アレイを備えている。上記送信用チップ及び上記受信用チップは、上記壁部の開口部に実装されている。上記アダプタユニットは、８本の光ファイバを備え、各光ファイバは上記モジュールハウジングに近接する近位ファイバ端部及びその反対側に位置するファイバ端部を有する。
【０００３】
上記近位ファイバ端部は、２つのファイバ端部アレイにグループ化される。上記２つのファイバ端部アレイはそれぞれ、上記４チャンネルレーザダイオードアレイ及び上記４チャンネル光検出器アレイのうち、それぞれ対応する１つに対して光学的に位置決めされている。上記２つのファイバ端部アレイはそれぞれ、互いに均等に離間した４本のファイバ端部を備えている。上記２つのファイバ端部アレイ間の距離は、各ファイバ端部アレイにおいて隣接する光ファイバの間隔よりも大きい。
【０００４】
【特許文献１】米国特許出願公開第２００２／０１１４５９０号明細書
【発明の開示】
【発明が解決しようとする課題】
【０００５】
しかし、上述したような光インターフェースでは、４チャンネルレーザダイオードアレイから光信号を出力することはできるものの、光出力をモニタすることはできなかった。
【課題を解決するための手段】
【０００６】
本発明は、マルチチャンネルの光出力を個別にモニタすることができる光通信用モジュールを提供し、併せて、この光通信用モジュールの製造方法と、光通信用モジュールを用いたデータ通信システムを提供するものである。
【０００７】
第１の本発明は、ファイバアレイ、レーザダイオードアレイ及びフォトダイオードアレイを含む光通信用モジュールであり、
送信グループ及び受信グループに分割される複数の光ファイバを含むファイバアレイと、
送信グループにグループ化された複数のレーザダイオードを含むレーザダイオードアレイと、
モニタグループ及び受信グループに分割された複数のフォトダイオードを含み、送信グループの上記レーザダイオードと送信グループの上記光ファイバの各端面とを対向させて上記レーザダイオードアレイを上記ファイバアレイとの間に設置し、送信グループの上記光ファイバ、送信グループの上記レーザダイオード、及び、モニタグループの上記フォトダイオードを光学的に整合させると共に、受信グループの上記光ファイバと受信グループの上記フォトダイオードを光学的に整合させるフォトダイオードアレイと
を備えることを特徴とする。
【０００８】
第２の本発明は、レーザダイオードアレイを備えたレーザダイオードサブマウントを、ターミナルブロックを備えたブリッジ上に設置し、レーザダイオードリードワイヤーの一端を上記レーザダイオードアレイに接続し、上記レーザダイオードリードワイヤーのもう一端を、上記ターミナルブロックの接続パッドに接続する工程を含む、光通信用モジュールの製造方法である。
【０００９】
即ち、第２の本発明は、レーザダイオードアレイを備えたレーザダイオードサブマウントを、ターミナルブロックを備えたブリッジ上に設置し、
レーザダイオードリードワイヤーの一端を上記レーザダイオードアレイに接続し、上記レーザダイオードリードワイヤーのもう一端を上記ターミナルブロックの接続パッドに接続し、
ファイバアレイの送信グループの複数の光ファイバが、上記レーザダイオードサブマウントに設置された上記レーザダイオードアレイの送信グループの対応する複数のレーザダイオードに対して光学的に整合されるように、上記ファイバアレイを上記レーザダイオードサブマウントに接続し、
ＭＴ型フェルールの送信グループ及び受信グループの複数の光ファイバが、フォトダイオードサブマウント上に設置されたフォトダイオードアレイのモニタグループ及び受信グループの対応する複数のフォトダイオードに対して光学的に整合されるように、上記ＭＴ型フェルールを上記フォトダイオードサブマウントに接続し、
ファイバアレイの送信グループの上記光ファイバ、送信グループの上記レーザダイオード、ＭＴ型フェルールの送信グループの上記光ファイバ、及び、モニタグループの上記フォトダイオードを光学的に整合させると共に、
ファイバアレイの受信グループの上記光ファイバ、ＭＴ型フェルールの受信グループの上記光ファイバ、及び、受信グループの上記フォトダイオードを光学的に整合させるように、少なくとも１つのガイドピンを用いて、上記レーザダイオードアレイを備えたレーザダイオードサブマウントと接続された上記ファイバアレイ及び上記フォトダイオードアレイを備えたフォトダイオードサブマウントと接続された上記ＭＴ型フェルールを接続することを特徴とする光通信用モジュールの製造方法である。
【００１０】
第３の本発明は、ファイバアレイ、レーザダイオードアレイ及びフォトダイオードアレイを有する光通信用モジュールを含む、データ通信システムであり、
送信グループ及び受信グループに分割される複数の光ファイバを含むファイバアレイと、
送信グループにグループ化された複数のレーザダイオードを含むレーザダイオードアレイと、
モニタグループ及び受信グループに分割された複数のフォトダイオードを含み、送信グループの上記レーザダイオードと送信グループの上記光ファイバの各端面とを対向させて上記レーザダイオードアレイを上記ファイバアレイとの間に設置し、送信グループの上記光ファイバ、送信グループの上記レーザダイオード、及び、モニタグループの上記フォトダイオードを光学的に整合させると共に、受信グループの上記光ファイバと受信グループの上記フォトダイオードを光学的に整合させるフォトダイオードアレイと
を備えることを特徴とする。
【発明の効果】
【００１１】
本発明の光通信用モジュールによれば、制限されたスペース内に設ける、光信号出力状況のモニタ機能を備えたチャンネルの数を増加させることができる。また、本発明の光通信用モジュールでは、構造が簡易化され、製造コストが軽減される。
また、光通信用モジュールの製造方法によれば、本発明の光通信用モジュールを好適に製造することができる。
また、本発明のデータ通信システムによれば、データ通信システムを構成する光通信用モジュールが、制限されたスペース内に設ける、情報を送受信するチャンネルの数を増加させることができるため、データ通信システムのサイズを小さくすることができる。
【発明を実施するための最良の形態】
【００１２】
以下、図面を参照しながら、本発明の光通信用モジュール、光通信用モジュールの製造方法、及び、データ通信システムのそれぞれの実施形態を以下に説明する。
なお、添付の図面において、類似する参照符号は対応又は同類の構成要素を意味する。
【００１３】
図１は、本発明の光通信用モジュールの一実施形態を模式的に示す平面図であり、図２及び図３はそれぞれ、図１に示した光通信用モジュールのＩＩ−ＩＩ線断面図及びＩＩＩ−ＩＩＩ線断面図である。
【００１４】
図１〜３によると、光通信用モジュール２は、８チャンネルファイバアレイ４等のマルチチャンネルファイバアレイ、４チャンネルレーザダイオードアレイ６等のマルチチャンネルレーザダイオードアレイ、レーザダイオードサブマウント８、８チャンネルフォトダイオードアレイ１０等のマルチチャンネルフォトダイオードアレイ及びフォトダイオードサブマウント１４を備えている。
【００１５】
レーザダイオードアレイ６はレーザダイオードサブマウント８上に接着されている。フォトダイオードアレイ１０はフォトダイオードサブマウント１４に接着されている。レーザダイオードサブマウント８は、ファイバアレイ４及びフォトダイオードサブマウント１４の間に挟まれるように配置されている。フォトダイオードアレイ１０を所定の角度に傾けるため、フォトダイオードサブマウント１４及びレーザダイオードサブマウント８の間にスペーサ１６を設置する。このとき、フォトダイオードアレイ１０によるファイバアレイ４の光ファイバへの不要な後方反射を軽減させるため、スペーサ１６の位置をファイバアレイ４から離すようにする。スペーサ１６は、例えば、厚さが約２００μｍであり、その材料は樹脂材料である。「約２００μｍ」なる記載は、当業者が認める程度の測定誤差の範囲を含む。当該「約」の用法は本明細書全体を通して適用されるものとする。
【００１６】
ファイバアレイ４では、該ファイバアレイ４の中を８本の光ファイバ４ａ〜４ｈが伸びている。ファイバアレイ４は、１番目から４番目の光ファイバ４ａ〜４ｄを備えた送信グループ及び５番目から８番目の光ファイバ４ｅ〜４ｈを備えた受信グループに分割される。レーザダイオードアレイ６は、送信グループにグループ化された１番目から４番目のレーザダイオード６ａ〜６ｄを備えている。フォトダイオードアレイ１０は、１番目から４番目のフォトダイオード１０ａ〜１０ｄを備えたモニタグループ及び５番目から８番目のフォトダイオード１０ｅ〜１０ｈを備えた受信グループに分割された８個のフォトダイオードを含んで構成されている。
【００１７】
ファイバアレイ４、レーザダイオードアレイ６及びフォトダイオードアレイ１０は、送信グループの１番目から４番目の光ファイバ４ａ〜４ｄ、送信グループの１番目から４番目のレーザダイオード６ａ〜６ｄ及びモニタグループの１番目から４番目のフォトダイオード１０ａ〜１０ｄがそれぞれ光学的に整合されると共に、受信グループの５番目から８番目の光ファイバ４ｅ〜４ｈ及び受信グループの５番目から８番目のフォトダイオード１０ｅ〜１０ｈがそれぞれ光学的に整合されて配置されている。
【００１８】
送信グループの光ファイバ４ａ〜４ｄの端面１つ１つ及びそれに対応する送信グループのレーザダイオード６ａ〜６ｄ１つ１つの距離は、約１０〜５０μｍであり、好ましくは約２０〜３０μｍである。送信グループのレーザダイオード６ａ〜６ｄ１つ１つ及びそれに対応するモニタグループのフォトダイオード１０ａ〜１０ｄ１つ１つの距離は、約２０〜１００μｍである。受信グループの光ファイバ４ｅ〜４ｈの端面１つ１つ及びそれに対応する受信グループのフォトダイオード１０ｅ〜１０ｈ１つ１つの距離は、約１７０〜４５０μｍである。
【００１９】
上述の実施形態によると、８本の光ファイバ４ａ〜４ｈ、４個のレーザダイオード６ａ〜６ｄ及び８個のフォトダイオード１０ａ〜１０ｈのピッチは実質的に同一で、少なくとも約１２５μｍである。また、ファイバアレイ４の送信グループ及び受信グループの光ファイバの合計本数は８本であり、これは上記モニタグループ及び受信グループのフォトダイオードの合計個数に等しく、また、上記送信グループのレーザダイオードの個数の２倍である。更に、ファイバアレイ４における８本の光ファイバ４ａ〜４ｈは送信グループ及び受信グループに均等に分割され、また、８個のフォトダイオード１０ａ〜１０ｈはモニタグループ及び受信グループに均等に分割される。
【００２０】
しかしながら、光ファイバ４ａ〜４ｈ間、レーザダイオード６ａ〜６ｄ間及びフォトダイオード１０ａ〜１０ｈ間のピッチは、例えば、ファイバアレイ４における一方のグループのピッチが、ファイバアレイ４における他方のグループのピッチと異なるように配置されていてもよく、また、ファイバアレイ４の送信グループ及び受信グループのグループ間のピッチが、上記ファイバアレイの送信グループ及び受信グループ各グループの光ファイバ間のピッチと異なるように配置されていてもよい。
【００２１】
更に、ファイバアレイ４は、８本以外の複数本の光ファイバを備えていてもよく、上記送信グループと上記受信グループとそれ以外の１以上のグループの３つ以上のグループに分かれていてもよい。フォトダイオードアレイ１０は、８個以外の複数個のフォトダイオードを備えていてもよく、上記モニタグループと上記受信グループとそれ以外の１以上のグループの３つ以上のグループに分かれていてもよい。
【００２２】
また、上記送信グループの光ファイバ１つ１つ、上記送信グループの対応するレーザダイオード１つ１つ及び上記モニタグループの対応するフォトダイオード１つ１つがそれぞれ光学的に整合されると共に、上記受信グループの光ファイバ１つ１つが上記受信グループの対応するフォトダイオード１つ１つに対して光学的に整合され得る限り、送信グループと受信グループの間で上記光ファイバ及び上記フォトダイオードの配分は不均等であってもよい。
【００２３】
また、ファイバアレイ４に送信グループ及び受信グループ以外の１グループ又は複数グループがある場合、このグループは、ファイバアレイ４の送信グループ及び／又は受信グループの機能とは異なる１種類以上の機能を有していてもよく、また、フォトダイオードアレイ１０にモニタグループ及び受信グループ以外の１グループ又は複数グループがある場合、このグループは、フォトダイオードアレイ１０のモニタグループ及び／又は受信グループの機能とは異なる１種類以上の機能を有していてもよい。
【００２４】
同様に、レーザダイオードアレイ６は、１つ又は複数個のレーザダイオードを備えていてもよい。レーザダイオードアレイ６は、上記送信グループ及びそれ以外のグループを含む２グループ以上に分かれてもよく、この場合、上記送信グループの光ファイバ１つ１つ、上記送信グループの対応するレーザダイオード１つ１つ及び上記モニタグループの対応するフォトダイオード１つ１つがそれぞれ光学的に整合されている限り、グループ間における上記レーザダイオードの配分は不均等であってもよい。レーザダイオードアレイ６の送信グループ以外の１グループ又は複数グループは、レーザダイオードアレイ６の送信グループの機能とは異なる１種類以上の機能を有していてもよい。
【００２５】
また、上述の実施形態では、ファイバアレイ４の送信グループ及び受信グループは互いに隣接しており、また、フォトダイオードアレイ１０のモニタグループ及び受信グループは互いに隣接している。更に、ファイバアレイ４及びフォトダイオードアレイ１０はそれぞれ第１群及び第２群に分かれて一列に並んでいる。ファイバアレイ４においては、送信グループの光ファイバ４ａ〜４ｄが第１群であり、受信グループの光ファイバ４ｅ〜４ｈが第２群である。フォトダイオードアレイ１０においては、モニタグループのフォトダイオード１０ａ〜１０ｄが第１群であり、受信グループのフォトダイオード１０ｅ〜１０ｈが第２群である。
【００２６】
上記光通信用モジュールはこのような形態に限定されるわけではなく、ファイバアレイ４の送信グループ及び受信グループの間に１以上の光ファイバ、又は、上記光通信用モジュールの別の構成要素が１以上設置されていてもよい。ゆえに、フォトダイオードアレイ１０のモニタグループ及び受信グループの間にも、１以上フォトダイオード、又は、上記光通信用モジュールの別の構成要素が１以上設置されていてもよい。
フォトダイオードアレイ１０のモニタグループ及び受信グループは、ファイバアレイ４に対して光学的に整合されるように、間隔が離されているだけでもよい。更に、ファイバアレイ４の送信グループ及び受信グループそれぞれに対してフォトダイオードアレイ１０のモニタグループ及び受信グループが光学的に整合されている限り、ファイバアレイ４の第１群及びフォトダイオードアレイ１０の第１群は、ファイバアレイ４の第２群及びフォトダイオードアレイ１０の第２群のどちら側に位置していてもよい。
【００２７】
上述の実施形態によると、送信回路１８は送信グループのレーザダイオード６ａ〜６ｄ及びモニタグループのフォトダイオード１０ａ〜１０ｄに接続されている。受信回路２０は受信グループのフォトダイオード１０ｅ〜１０ｈに接続されている。信号入力回線１８ａ〜１８ｄを経て、送信されるべき電気信号が送信回路１８に入力されることによって、送信回路１８はレーザダイオード６ａ〜６ｄの光信号の発信を制御する。モニタグループのフォトダイオード１０ａ〜１０ｄは、送信グループのレーザダイオード６ａ〜６ｄから発信される光信号を受信し、レーザダイオード６ａ〜６ｄのフィードバック制御を実行するため、受信した光信号を送信回路１８に出力する。受信グループのフォトダイオード１０ｅ〜１０ｈは、受信グループの光ファイバ４ｅ〜４ｈを経て送信される光信号を受信し、受信した光信号を電気信号に変換し、該電気信号を受信回路２０に出力する。
【００２８】
上述の実施形態によると、ファイバアレイ４の光ファイバ４ａ〜４ｈ、レーザダイオードアレイ６のレーザダイオード６ａ〜６ｄ及びフォトダイオードアレイ１０のフォトダイオード１０ａ〜１０ｈのピッチは実質的に同一である。
また、単一基板上にあるフォトダイオードアレイ１０上において、モニタグループのフォトダイオード１０ａ〜１０ｄ及び受信グループのフォトダイオード１０ｅ〜１０ｈを共に設置することができ、また、送信グループのレーザダイオード６ａ〜６ｄ１つ１つの光信号出力状況の個別モニタ機能及び受信グループの光ファイバ４ｅ〜４ｈからの光信号受信機能の両機能を発揮させることができる。
【００２９】
結果として、光信号の送受信の際には、本発明の光通信用モジュールは、制限されたスペース内に設ける、光信号出力状況のモニタ機能を備えたチャンネルの数を増加させることができる。また、上述の実施形態によって、光通信用モジュールの構造が簡易化され、その製造コストが軽減される。
【００３０】
図４は、２段のマルチチャンネルファイバアレイ及び２段のマルチチャンネルフォトダイオードアレイを含む本発明の光通信用モジュールの一実施形態を模式的に示す平面図であり、図５及び図６はそれぞれ、図４に示した光通信用モジュールのＶ−Ｖ線断面図及び端面図である。
【００３１】
図４〜６によると、光通信用モジュール３２は、１６チャンネルファイバアレイ３４等の２段のマルチチャンネルファイバアレイ、８チャンネルレーザダイオードアレイ３６等のマルチチャンネルレーザダイオードアレイ、レーザダイオードサブマウント３８、１６チャンネルフォトダイオードアレイ４０等の２段のマルチチャンネルフォトダイオードアレイ及びフォトダイオードサブマウント４４を備えている。
【００３２】
フォトダイオードアレイ４０を所定の角度に傾けるため、フォトダイオードサブマウント４４及びレーザダイオードサブマウント３８の間にスペーサ４６を設置する。このとき、フォトダイオードアレイ４０によるファイバアレイ３４の光ファイバへの不要な後方反射を軽減させるため、スペーサ４６の位置をファイバアレイ３４から離すようにする。スペーサ４６は、例えば、厚さが約２００μｍであり、その材料は樹脂材料である。
【００３３】
２段のファイバアレイ３４は、第１段及び第２段を備えている。第１段の１番目から８番目の光ファイバ３４ａ〜３４ｈが送信グループであり、第２段の９番目から１６番目の光ファイバ３４ｉ〜３４ｐが受信グループである。レーザダイオードアレイ３６は、送信グループにグループ化された１番目から８番目のレーザダイオード３６ａ〜３６ｈを備えている。２段のフォトダイオードアレイ４０は、第１段及び第２段を備えている。第１段の１番目から８番目のフォトダイオード４０ａ〜４０ｈがモニタグループであり、第２段の９番目から１６番目のフォトダイオード４０ｉ〜４０ｐが受信グループである。
【００３４】
上記第１段の光ファイバ１つ１つ及びその真上に位置する上記第２段の光ファイバ１つ１つ、例えば、光ファイバ３４ａ及び光ファイバ３４ｉ間のピッチ、上記第１段のフォトダイオード１つ１つ及びその真上に位置する上記第２段のフォトダイオード１つ１つのピッチ、上記ファイバアレイの送信グループ及び受信グループの各グループにおける８本の光ファイバ間のピッチ、上記レーザダイオードアレイの送信グループにおける８個のレーザダイオード間のピッチ、並びに、上記フォトダイオードアレイのモニタグループ及び受信グループの各グループにおける８個のフォトダイオード間のピッチはそれぞれ実質的に同一で、少なくとも約１２５μｍである。
【００３５】
ファイバアレイ３４、レーザダイオードアレイ３６及びフォトダイオードアレイ４０は、送信グループの１番目から８番目の光ファイバ３４ａ〜３４ｈ、送信グループの１番目から８番目のレーザダイオード３６ａ〜３６ｈ及びモニタグループの１番目から８番目のフォトダイオード４０ａ〜４０ｈがそれぞれ光学的に整合されると共に、受信グループの９番目から１６番目の光ファイバ３４ｉ〜３４ｐ及び受信グループの９番目から１６番目のフォトダイオード４０ｉ〜４０ｐがそれぞれ光学的に整合されて配置されている。第１段のモニタグループの１番目から８番目のフォトダイオード４０ａ〜４０ｈ１つ１つは、送信グループの１番目から８番目のレーザダイオード３６ａ〜３６ｈ１つ１つからの光信号の出力状況を個別に受信し、また、第２段の受信グループの９番目から１６番目のフォトダイオード４０ｉ〜４０ｐは、受信グループの光ファイバ３４ｉ〜３４ｐからの光信号を個別に受信する。
【００３６】
上述の実施形態によると、上記２段のファイバアレイにおいて、第１段が下段に、第２段が上段に位置し、該２段は互いに隣接している。また、上記２段のフォトダイオードアレイにおいて、第１段が下段に、第２段が上段に位置し、該２段は互いに隣接している。なお、上記ファイバアレイ及び上記フォトダイオードアレイにおいて、第１段は第２段の上段に位置していてもよい。
また、上記２段の光ファイバアレイ及び／又は上記２段のフォトダイオードアレイの第１段及び第２段の間に、１以上の光ファイバ若しくはフォトダイオードの段、又は、上記光通信用モジュールの他の構成要素が１以上備えられていてもよい。更に、上記送信グループの光ファイバ１つ１つ、上記送信グループの対応するレーザダイオード１つ１つ及び上記モニタグループの対応するフォトダイオード１つ１つがそれぞれ光学的に整合されると共に、上記受信グループの光ファイバ１つ１つが上記受信グループの対応するフォトダイオード１つ１つに対して光学的に整合されている限り、上記レーザダイオードアレイは、上記送信グループの段及びそれ以外の１以上の段を備えていてもよく、上記それ以外の段は１以上のグループを備えていてもよい。
【００３７】
また、上記ファイバアレイ及び上記フォトダイオードアレイはそれぞれ、１６本以外の複数本の光ファイバ及び１６個以外の複数個のフォトダイオードを備えていてもよく、それらは複数の段を含む複数のグループに均等又は不均等に配分されてもよい。
また、上記送信グループの光ファイバ、上記送信グループのレーザダイオード、及び、上記モニタグループのフォトダイオードがそれぞれ光学的に整合されると共に、上記受信グループの光ファイバ及び上記受信グループのフォトダイオードがそれぞれ光学的に整合されている限り、上記レーザダイオードアレイは１以上のレーザダイオードを備えていてもよく、また、１以上の段を備えていてもよい。上記レーザダイオードは該１以上の段において１以上のグループに均等又は不均等に配分されてもよい。
【００３８】
上述の実施形態によると、上記ファイバアレイ及び上記フォトダイオードアレイは、上記第１段の光ファイバ１つ１つ及びその真上に位置する上記第２段の光ファイバ１つ１つのピッチ、上記第１段のフォトダイオード１つ１つ及びその真上に位置する上記第２段のフォトダイオード１つ１つのピッチ、上記２段のファイバアレイの送信グループ及び受信グループの各グループにある８本の光ファイバ間のピッチ、上記レーザダイオードアレイの送信グループにおける８個のレーザダイオード間のピッチ、並びに、上記２段のフォトダイオードアレイのモニタグループ及び受信グループの各グループにある８個のフォトダイオード間のピッチが、それぞれ実質的に同一であるように配置されてもよい。
また、単一基板上にある上記フォトダイオードアレイにおいて、モニタグループ及び受信グループのフォトダイオードが互いに隣接するよう設置することができ、また、上記送信グループのレーザダイオード３６ａ〜３６ｈ１つ１つの光信号出力状況の個別モニタ機能及び受信グループの光ファイバ３４ｉ〜３４ｐからの光信号の受信機能の両機能を発揮させることができる。
【００３９】
結果として、上述の実施形態による本発明の光通信用モジュールは、制限されたスペース内に設ける、光出力状況のモニタ機能を備えたチャンネルの数を増加させるこができる。また、本発明の上述の実施形態によって、光通信用モジュールの構造が簡易化され、その製造コストが軽減される。
【００４０】
図７は、本発明の光通信用モジュールの一実施形態を模式的に示す平面図であり、図８は、図７に示した光通信用モジュールのＶＩＩＩ−ＶＩＩＩ線断面図である。
【００４１】
図７及び図８によると、光通信用モジュール６２は、８チャンネルファイバアレイ６４等のマルチチャンネルファイバアレイ、４チャンネルレーザダイオードアレイ６６等のマルチチャンネルレーザダイオードアレイ、レーザダイオードサブマウント６８、８チャンネルフォトダイオードアレイ７０等のマルチチャンネルフォトダイオードアレイ、フォトダイオードサブマウント７４、及び、複数（例えば８本）の光ファイバを有するメカニカル  トランスファーブルフェルール（以下、ＭＴ型フェルールという）８０を備えている。
【００４２】
ファイバアレイ６４及びＭＴ型フェルール８０を用いてレーザダイオードアレイ６６を挟むため、ファイバアレイ６４及びレーザダイオードサブマウント６８並びにレーザダイオードサブマウント６８及びＭＴ型フェルール８０は、互いに接着されている。また、レーザダイオードアレイ６６及びレーザダイオードサブマウント６８を挟むため、ファイバアレイ６４及びＭＴ型フェルール８０は２本のガイドピン８２で接続されている。フォトダイオードサブマウント７４上に接着されたフォトダイオードアレイ７０の設置スペースを設けるため、ＭＴ型フェルール８０及びフォトダイオードサブマウント７４の間にスペーサ７６が設置されている。フォトダイオードアレイ７０は、光信号を受信し、電気信号へ変換するため、フォトダイオードリードワイヤー８８によって電気回路９０に接続されている。レーザダイオードアレイ６６は、電流を供給し、光信号を発生させるため、レーザダイオードリードワイヤー８６によって電気回路９０に接続されている。
【００４３】
ファイバアレイ６４は、１番目から４番目の光ファイバ６４ａ〜６４ｄを備えた送信グループ及び５番目から８番目の光ファイバ６４ｅ〜６４ｈを備えた受信グループに分割される。レーザダイオードアレイ６６は、送信グループにグループ化された１番目から４番目のレーザダイオード６６ａ〜６６ｄを備えている。フォトダイオードアレイ７０は、１番目から４番目のフォトダイオード７０ａ〜７０ｄを備えたモニタグループ及び５番目から８番目のフォトダイオード７０ｅ〜７０ｈを備えた受信グループに分割される。ＭＴ型フェルール８０は、１番目から４番目の光ファイバ８０ａ〜８０ｄを備えた送信グループ及び５番目から８番目の光ファイバ８０ｅ〜８０ｈを備えた受信グループに分割される。
【００４４】
ファイバアレイ６４、レーザダイオードアレイ６６、ＭＴ型フェルール８０及びフォトダイオードアレイ７０は、ファイバアレイの送信グループの１番目から４番目の光ファイバ６４ａ〜６４ｄ、送信グループの１番目から４番目のレーザダイオード６６ａ〜６６ｄ、ＭＴ型フェルールの送信グループの１番目から４番目の光ファイバ８０ａ〜８０ｄ及びモニタグループの１番目から４番目のフォトダイオード７０ａ〜７０ｄが光軸方向に沿ってそれぞれ光学的に整合されると共に、ファイバアレイの受信グループの５番目から８番目の光ファイバ６４ｅ〜６４ｈ、ＭＴ型フェルールの受信グループの５番目から８番目の光ファイバ８０ｅ〜８０ｈ及び受信グループの５番目から８番目のフォトダイオード７０ｅ〜７０ｈが光軸方向に沿ってそれぞれ光学的に整合されるように配置される。光軸方向に沿ったＭＴ型フェルール８０の長さは、例えば、少なくとも約１ｍｍである。
【００４５】
ここでは、上記ファイバアレイの送信グループ及び受信グループ、上記フォトダイオードアレイのモニタグループ及び受信グループ並びに上記ＭＴ型フェルールの送信グループ及び受信グループの各組はそれぞれ、互いに隣接している。なお、上記ファイバアレイの送信グループ及び受信グループの間に、１以上の光ファイバのグループ、又は、上記光通信用モジュールの他の構成要素が１以上設置されていてもよい。同様に、上記ファイバアレイの送信グループの光ファイバ、上記送信グループのレーザダイオード、上記ＭＴ型フェルールの送信グループの光ファイバ及び上記モニタグループのフォトダイオードがそれぞれ光学的に整合されると共に、上記ファイバアレイの受信グループの光ファイバ、上記ＭＴ型フェルールの受信グループの光ファイバ及び上記受信グループのフォトダイオードがそれぞれ光学的に整合されている限り、上記フォトダイオードアレイのモニタグループ及び受信グループの間に、１以上のフォトダイオードのグループ、又は、上記光通信用モジュールの他の構成要素が１以上備えられていてもよく、また、上記ＭＴ型フェルールの送信グループ及び受信グループの間に１以上の光ファイバのグループ、又は、上記光通信用モジュールの他の構成要素が１以上備えられていてもよい。
【００４６】
上述の実施形態によると、ＭＴ型フェルールの送信グループの光ファイバ８０ａ〜８０ｄ及び受信グループの光ファイバ８０ｅ〜８０ｈの開口数が最大で約０．２１であるため、ＭＴ型フェルール８０は、送信グループのレーザダイオード６６ａ〜６６ｄそれぞれからモニタグループのフォトダイオード７０ａ〜７０ｄに送信された光信号のクロストークを軽減させることができる。また、ＭＴ型フェルール８０は、送信グループのレーザダイオード６６ａ〜６６ｄ及びファイバアレイの受信グループの光ファイバ６４ｅ〜６４ｈ間のクロストークを軽減させることもできる。
【００４７】
更に、フォトダイオードリードワイヤー８８及びフォトダイオードアレイ７０との接続箇所と、レーザダイオードリードワイヤー８６及びレーザダイオードアレイ６６の接続箇所との間にＭＴ型フェルール８０があり、該２つの接続箇所間の距離が、例えば、少なくとも約１ｍｍ離れているため、ＭＴ型フェルール８０は、フォトダイオードリードワイヤー８８及びレーザダイオードリードワイヤー８６間のクロストークを軽減させることができる。そのため、電気回路９０はフォトダイオードリードワイヤー８８及びレーザダイオードリードワイヤー８６を通して正確に電気信号を受信することができる。
【００４８】
更に、ＭＴ型フェルール８０及びファイバアレイ６４が２本のガイドピン８２で接続されているため、ＭＴ型フェルール８０をファイバアレイ６４に対して正確に設置することができ、また、レーザダイオードサブマウント６８及びファイバアレイ６４の接着強度を高めることができる。２本のガイドピン８２により、レーザダイオードサブマウント６８及びファイバアレイ６４の接着強度を、−４０℃、８５℃を５００サイクル実施するヒートサイクル試験及び温度８５℃、湿度８５％の環境下で５０００時間保管する高温多湿保持試験に適合できる程にまで高めることができる。
【００４９】
結果として、本発明の光通信用モジュールは、制限されたスペース内に設ける、光信号出力状況のモニタ機能を備えたチャンネルの数を増加させ、光信号の送受信を安定させることができる。また、上記２本のガイドピンの使用が上記レーザダイオードサブマウント及び上記ファイバアレイの接着強度を高めるため、上記光通信用モジュールは、高温及び／又は多湿の環境下でも使用することができる。更に、光通信用モジュールの構造が簡易化され、その製造コストが軽減される。
【００５０】
図９は、シールド金属を備えた本発明の光通信用モジュールの一実施形態を模式的に示す平面図であり、図１０は、図９に示した光通信用モジュールのＸ−Ｘ線断面図である。
【００５１】
図９及び図１０によると、光通信用モジュール１０２は、８チャンネルファイバアレイ１０４等のマルチチャンネルファイバアレイ、４チャンネルレーザダイオードアレイ１０６等のマルチチャンネルレーザダイオードアレイ、レーザダイオードサブマウント１０８、８チャンネルフォトダイオードアレイ１１０等のマルチチャンネルフォトダイオードアレイ、フォトダイオードサブマウント１１４、複数（例えば８本）の光ファイバを有するＭＴ型フェルール１２０及びシールド金属１２４を備えている。
【００５２】
シールド金属１２４は、フォトダイオードリードワイヤー１２８に近接し、ＭＴ型フェルール１２０上に接着され、フォトダイオードアレイ１１０及びＭＴ型フェルール１２０に挟まれている。また、レーザダイオードアレイ１０６及びレーザダイオードサブマウント１０８を挟むため、ファイバアレイ１０４及びＭＴ型フェルール１２０は２本のガイドピン１２２で接続されている。フォトダイオードサブマウント１１４上に接着されたフォトダイオードアレイ１１０の設置スペースを設けるため、ＭＴ型フェルール１２０（シールド金属１２４）及びフォトダイオードサブマウント１１４の間には、スペーサ１１６が設置されている。シールド金属１２４は、レーザダイオードアレイ１０６及びＭＴ型フェルール１２０の間に設置されていてもよい。レーザダイオードアレイ１０６は、レーザダイオードリードワイヤー１２６によって電気回路１３０に接続されており、フォトダイオードアレイ１１０は、フォトダイオードリードワイヤー１２８によって電気回路１３０に接続されている。
【００５３】
本実施形態によると、シールド金属１２４は、フォトダイオードリードワイヤー１２８及びフォトダイオードリードワイヤー１２８に影響するレーザダイオードリードワイヤー１２６間のクロストークを防ぐことで、電気回路１３０が、フォトダイオードリードワイヤー１２８を経てフォトダイオードアレイ１１０より受信する電気信号の正確性を高めている。また、金属で覆われたＭＴ型フェルール１２０又は金属で覆われた合成樹脂でできたＭＴ型フェルール１２０もまたフォトダイオードリードワイヤー１２８及びレーザダイオードリードワイヤー１２６間のクロストークを防ぐことで、電気回路１３０が、フォトダイオードリードワイヤー１２８を経てフォトダイオードアレイ１１０から、より正確性の高い電気信号を受信することができる。
【００５４】
結果として、本発明の光通信用モジュールは、制限されたスペース内に設ける、光信号出力状況のモニタ機能を備えたチャンネルの数を増加させ、光信号の送受信を安定させることができる。また、上記ＭＴ型フェルール及び上記ファイバアレイを接続する少なくとも１本のガイドピンの使用が上記レーザダイオードサブマウント及び上記ファイバアレイの接着強度を高めるため、上記光通信用モジュールは、高温及び／又は多湿の環境下でも使用することができる。更に、このような実施形態をとることにより、光通信用モジュールの構造が簡易化され、その製造コストが軽減される。
【００５５】
図１１は、ブリッジ及びその上に設置されたターミナルブロックを含む本発明の光通信用モジュールの製造方法を模式的に示している。
【００５６】
図１１によると、光通信用モジュール１４２は、マルチチャンネルファイバアレイ１４４、マルチチャンネルレーザダイオードアレイ１４６、レーザダイオードサブマウント１４８、マルチチャンネルフォトダイオードアレイ１５０、フォトダイオードサブマウント１５４、マルチチャンネルＭＴ型フェルール１６０、ブリッジ１７２及びターミナルブロック１７４を備えている。
【００５７】
ブリッジ１７２はレーザダイオードサブマウント１４８と接続されている。レーザダイオードサブマウント１４８の厚さは約１５０〜３５０μｍである。ブリッジ１７２には空間（図示せず）があり、その空間は、レーザダイオードアレイ１４６の送信グループのレーザダイオード及びファイバアレイ１４４の受信グループの光ファイバから発信される光信号が減衰することなく通過し、フォトダイオードアレイ１５０のモニタグループ及び受信グループの対応するフォトダイオードに受信されるためのものである。ブリッジ１７２上に設置されたターミナルブロック１７４には、レーザダイオードリードワイヤー１６６の一端をターミナルブロック１７４に接着するための接続パッド１７６がある。ＭＴ型フェルール１６０は、ブリッジ１７２及びフォトダイオードアレイ１５０に挟まれるため、ブリッジ１７２及びフォトダイオードアレイ１５０と接続されている。ファイバアレイ１４４、レーザダイオードアレイ１４６、ＭＴ型フェルール１６０及びフォトダイオードアレイ１５０は、それぞれ光学的に整合されている。
【００５８】
本実施形態によると、レーザダイオードサブマウント１４８にはブリッジ１７２及びターミナルブロック１７４が設置されているため、レーザダイオードサブマウント１４８の厚さが、例えば、約１５０μｍであっても、特別な道具を用いることなくレーザダイオードリードワイヤー１６６をレーザダイオードアレイ１４６に接着することができる。結果として、上記光通信用モジュールの製造コストは軽減される。
【００５９】
本発明の光通信用モジュールの製造方法において、製造工程Ａでは、レーザダイオードアレイ１４６を備えたレーザダイオードサブマウント１４８を、ターミナルブロック１７４が設置されたブリッジ１７２に設ける。そして、レーザダイオードリードワイヤー１６６の一端をレーザダイオードアレイ１４６に接続し、レーザダイオードリードワイヤー１６６のもう一端をターミナルブロック１７４上の接続パッド１７６に接続する。
【００６０】
製造工程Ｂでは、ファイバアレイ１４４の送信グループの光ファイバ１つ１つを、レーザダイオードアレイ１４６の送信グループの対応するレーザダイオード１つ１つに対して光学的に整合する。そして、ファイバアレイ１４４を、製造工程Ａにおいてブリッジ１７２上に設置されたレーザダイオードアレイ１４６を有するレーザダイオードサブマウント１４８に接着する。
【００６１】
製造工程Ｃでは、ＭＴ型フェルール１６０の送信グループ及び受信グループの光ファイバ１つ１つをフォトダイオードアレイ１５０のモニタグループ及び受信グループの対応するフォトダイオード１つ１つに対して光学的に整合する。そして、ＭＴ型フェルール１６０を、フォトダイオードアレイ１５０を備えたフォトダイオードサブマウント１５４に接着する。
【００６２】
製造工程Ｄでは、少なくとも１つのガイドピン１６２を用いて、上記ファイバアレイの送信グループの光ファイバ１つ１つ、上記送信グループのレーザダイオード１つ１つ、上記ＭＴ型フェルールの送信グループの光ファイバ１つ１つ及び上記モニタグループのフォトダイオード１つ１つをそれぞれ光学的に整合し、また、上記ファイバアレイの受信グループの光ファイバ１つ１つ、上記ＭＴ型フェルールの受信グループの光ファイバ１つ１つ及び上記受信グループのフォトダイオード１つ１つをそれぞれ光学的に整合しつつ、製造工程Ｃにおいてフォトダイオードサブマウント１５４に接着されたＭＴ型フェルール１６０を、ファイバアレイ１４４に接続する。
【００６３】
上記光通信用モジュールの製造方法によると、レーザダイオードサブマウント１４８にはブリッジ１７２及びターミナルブロック１７４が設置されているため、レーザダイオードサブマウント１４８の厚さが、例えば、約１５０μｍであっても、特別な道具を用いることなくレーザダイオードリードワイヤー１６６をレーザダイオードアレイ１４６に接着することができる。その結果、上記光通信用モジュールの製造コストは軽減される。
【００６４】
図１２は、フレキシブルケーブルを備えた本発明の光通信用モジュールの一実施形態を模式的に示す側面図である。
【００６５】
図１２によると、光通信用モジュール２０２は、マルチチャンネルファイバアレイ２０４、マルチチャンネルレーザダイオードアレイ２０６、レーザダイオードサブマウント２０８、マルチチャンネルフォトダイオードアレイ２１０、ＭＴ型フェルール２２０及びフレキシブルケーブル２４０を備えている。
【００６６】
フレキシブルケーブル２４０は、フォトダイオードサブマウントの代替物であり、片面にはシールド金属層２４２が、その反対側の面にはフォトダイオード用回路２４４が設置されている。フォトダイオード用回路２４４には空間（図示せず）があり、その空間はレーザダイオードアレイ２０６のレーザダイオード及びファイバアレイ２０４の光ファイバから発信される光信号が減衰することなく通過し、フォトダイオードアレイ２１０の対応するフォトダイオードに受信されるためのものである。フレキシブルケーブルのシールド金属層２４２は、レーザダイオードリードワイヤー２２６及びフォトダイオード用回路２４４間のクロストーク防ぐために設置されている。
【００６７】
本実施形態によると、フレキシブルケーブル２４０は、フォトダイオードサブマウント、レーザダイオードアレイ２０６とフォトダイオードアレイ２１０との間、又は、フォトダイオードアレイ２１０とシールド金属との間のスペーサ、レーザダイオードアレイ２０６とフォトダイオードアレイ２１０との間のシールド金属、及び、フォトダイオードアレイ２１０を電気回路２３０に接続しているフォトダイオードリードワイヤーの機能を果たしている。
【００６８】
結果として、上述の光通信用モジュールは、より少ない部品で製造することができ、制限されたスペース内に設ける光信号出力状況のモニタ機能を備えたチャンネルの数を増加させ、光信号の送受信を安定させることができる。また、上記ＭＴ型フェルール及び上記ファイバアレイを接続する少なくとも１本のガイドピンの使用が上記レーザダイオードサブマウント及び上記ファイバアレイの接着強度を高めるため、上記光通信用モジュールは、高温及び／又は多湿の環境下でも使用することができる。更に、上述の実施形態をとることにより、光通信用モジュールの構造が簡易化され、その製造コストが軽減される。
【００６９】
図１３は、本発明のデータ通信システムの一実施形態を模式的に示している。
【００７０】
図１３によると、データ通信システム３００は、例えば、図１〜３で示した光通信用モジュールのような少なくとも１つの光通信用モジュール３０２を含む。光通信用モジュール３０２のファイバアレイ３１４のファイバ端末３５０は、通信用ファイバアレイ３７４のファイバ端末３９０に接続されている。通信用ファイバアレイ３７４のもう１つのファイバ端末３９２はデータ通信用モジュール３６２に接続されている。本発明のデータ通信システム３００は、図１〜３で示した光通信用モジュールに代えて、図４〜６、図７及び図８、図９及び図１０、図１１並びに図１２で示したような他の光通信用モジュールを備えていてもよい。
【００７１】
データ通信システム３００は、例えば、光ファイバを使用した通信システム又はその一部を含んでいてもよい。個別の加入者が多数存在する上記光ファイバを使用した通信システムのサービスプロバイダーは、例えば、１０００のマルチチャンネル光通信用モジュールをサービスプロバイダーの基地局のノードで伝送する必要がある場合があり、本発明によると、光通信用モジュール３０２が、制限されたスペース内に設ける、情報を送受信するチャンネルの数を増加させることができるため、データ通信システム３００のサイズを小さくすることができる。データ通信システム３００は、例えば、衛星通信システム、電気通信システム、映像通信システム又はコンピュータのデータ通信システムの一部であってもよい。
【００７２】
上述したことから明らかなように、本発明には多数の実施形態や変形例などが存在する。従って、添付のクレームの範囲内であれば、上述の発明はここに明示されている以外の方法で行われてもよい。
添付の図面と併せて下記の詳細な記載を参照することにより、本発明のより完全な認識及びそれに付随する多くの利点を得ることが容易になり、また、上記認識及び利点がよりよく理解できるようになる。
【図面の簡単な説明】
【００７３】
【図１】本発明の光通信用モジュールの一実施形態を模式的に示す平面図である。
【図２】図１に示した光通信用モジュールのＩＩ−ＩＩ線断面図である。
【図３】図１に示した光通信用モジュールのＩＩＩ−ＩＩＩ線断面図である。
【図４】本発明の光通信用モジュールの一実施形態を模式的に示す平面図である。
【図５】図４に示した光通信用モジュールのV−V線断面図である。
【図６】図４に示した光通信用モジュールの端面図である。
【図７】本発明の光通信用モジュールの一実施形態を模式的に示す平面図である。
【図８】図７に示した光通信用モジュールのＶＩＩＩ−ＶＩＩＩ線断面図である。
【図９】本発明の光通信用モジュールの一実施形態を模式的に示す平面図である。
【図１０】図９に示した光通信用モジュールのＸ−Ｘ線断面図である。
【図１１】本発明の光通信用モジュールの製造方法を模式的に示す図である。
【図１２】本発明の光通信用モジュールの一実施形態を模式的に示す側面図である。
【図１３】本発明のデータ通信システムの一実施形態を模式的に示す図である。
【符号の説明】
【００７４】
２、３２、６２、１０２、１４２、２０２、３０２  光通信用モジュール
４、３４、６４、１０４、１４４、２０４、３１４  ファイバアレイ
４ａ〜４ｈ、３４ａ〜３４ｐ、６４ａ〜６４ｈ、８０ａ〜８０ｈ、１０４ａ〜１０４ｈ  光ファイバ
６、３６、６６、１０６、１４６、２０６  レーザダイオードアレイ
６ａ〜６ｄ、３６ａ〜３６ｈ、６６ａ〜６６ｄ、１０６ａ〜１０６ｄ  レーザダイオード
８、３８、６８、１０８、１４８、２０８  レーザダイオードサブマウント
１０、４０、７０、１１０、１５０、２１０  フォトダイオードアレイ
１０ａ〜１０ｈ、４０ａ〜４０ｐ、７０ａ〜７０ｈ  フォトダイオード
１４、４４、７４、１１４、１５４  フォトダイオードサブマウント
１６、４６、７６、１１６  スペーサ
８０、１２０、１６０、２２０  ＭＴ型フェルール
８２、１２２  ガイドピン
８６、１２６、１６６、２２６  レーザダイオードリードワイヤー
８８、１２８  フォトダイオードリードワイヤー
１２４  シールド金属
１７２  ブリッジ
１７４  ターミナルブロック
１７６  接続パッド
２４０  フレキシブルケーブル
２４２  シールド金属層
２４４  フォトダイオード用回路
【図１】
2006216931.tif 000003
【図２】
2006216931.tif 000004
【図３】
2006216931.tif 000005
【図４】
2006216931.tif 000006
【図５】
2006216931.tif 000007
【図６】
2006216931.tif 000008
【図７】
2006216931.tif 000009
【図８】
2006216931.tif 000010
【図９】
2006216931.tif 000011
【図１０】
2006216931.tif 000012
【図１１】
2006216931.tif 000013
【図１２】
2006216931.tif 000014
【図１３】
2006216931.tif 000015